(57)【要約】【課題】拭きムラを低減でき、しかも、被清掃物への塵、埃の再付着を抑制でき、被清掃物を適切に清掃できる清掃具を提供する。【解決手段】清掃具１は、ゲル状物質が内部に収容、封入された、可撓性を有するゲル封入部３と、前記ゲル封入部の下面に取付けられた、被清掃物を拭くことによって清掃する清掃部２と、前記清掃部と前記ゲル封入部との間に介在し、前記清掃部を前記ゲル封入部の下面に取付ける取付け手段４と、を備える。【選択図】図１
2013141623.tif 000002
【特許請求の範囲】
【請求項１】
ゲル状物質が内部に収容、封入された、可撓性を有するゲル封入部と、
前記ゲル封入部の下面に取付けられた、被清掃物を拭くことによって清掃する清掃部と、
前記清掃部と前記ゲル封入部との間に介在し、前記清掃部を前記ゲル封入部の下面に取付ける取付け手段と、
を備えることを特徴とする清掃具。
【請求項２】
前記ゲル封入部は、使用者の手を添えるための手添部と、前記取付け手段を介して前記清掃部が取り付けられる取付け部とを有し、
前記手添部は、透明あるいは半透明に形成され、
前記取付け部の内側面には、前記手添部側に向かって突出した複数の凸部が形成され、
前記複数の凸部が、前記ゲル封入部に封入されたゲル状物質の色とは異なる色に着色されていることを特徴とする請求項１記載の清掃具。
【請求項３】
前記凸部の少なくとも上面に、前記ゲル封入部に封入されたゲル状物質の色とは異なる色の着色層を形成することによって、
あるいは前記取付け部を透明あるいは半透明に形成し、前記凸部の凹み側に前記ゲル封入部に封入されたゲル状物質の色とは異なる色の物質を収容することによって、
前記凸部が着色されることを特徴とする請求項２記載の清掃具。
【請求項４】
前記取付け手段は、面ファスナーまたは両面テープであることを特徴とする請求項１乃至請求項３のいずれかに記載の清掃具。
【請求項５】
前記清掃部は、ワニスガーゼ、スポンジ、不織布のいずれかであることを特徴とする請求項１乃至請求項４のいずれかに記載の清掃具。
【発明の詳細な説明】
【技術分野】
【０００１】
本発明は清掃具に関し、特に被清掃物を拭くことによって清掃する清掃具に関する。
【背景技術】
【０００２】
従来から、例えば自動車のバンパーのような被塗装物を塗装する際には、塗装不良を防止するために、塗装工程の前処理として、塵、埃、汚れ等を除去する清掃が行われている。
この清掃は、一般的にはワニスガーゼと呼ばれるワニスを含ませたガーゼを用いて、人の手で被清掃物の表面を拭くことにより行われる。
【０００３】
ところで、この人の手による拭き清掃では、手で押さえている部分のワニスガーゼにのみ力が加わり、手で押さえていない部分のワニスガーゼには力が加わらず、拭きムラが発生し、塵、埃、汚れ等を適切に取り除くことができないという課題があった。
特に、被清掃物が湾曲面を有する場合には、湾曲面におけるワニスガーゼと被清掃物との接触面積（加圧面積）が小さくなり、拭きムラが発生し易かった。また、被清掃物が撓みやすい材質で形成されている場合にも、人の手による力で被清掃物が撓み、ワニスガーゼと被清掃物とが接触し（加圧し）難くなり、拭きムラが発生し易かった。
【０００４】
この課題を解決する清掃具が、例えば特許文献１において提案されている。この特許文献１に提案された清掃具を、図９に基づいて説明する。
図に示すように、この清掃具５０は、圧縮空気Ａ１の供給口５１ａと吹出し開口部５１ｂとを有するフード５１と、このフード５１の吹出し開口部５１ｂに装着された袋状のワニスガーゼ（図示せず）と、一端が前記フード５１に止着され前記ワニスガーゼの周辺に垂れ下がった短冊状のワニスガーゼ片５２とから構成されている。
【０００５】
そして、この清掃具５０によって清掃する場合には、前記ワニスガーゼ片５２の内側に配置されているワニスガーゼを、圧縮空気Ａ１によって風船のように膨らませて、被清掃物Ｂの形状に倣って密着させ、ワニスガーゼ２全体に力を加えながら、被清掃物の表面を払拭する。
尚、前記ワニスガーゼに供給された圧縮空気Ａ１は、ワニスガーゼ及びワニスガーゼ片５２を通過し、排気空気Ａ２として外部に放出される。
【先行技術文献】
【特許文献】
【０００６】
【特許文献１】特開平９−２７６８１３号公報
【発明の概要】
【発明が解決しようとする課題】
【０００７】
前記特許文献１に記載された清掃具５０にあっては、ワニスガーゼを圧縮空気Ａ１によって風船のように膨らませて被清掃物Ｂの形状に倣って密着させているため、ワニスガーゼ全体に力を作用させることができ、拭きムラを低減することができる。また、被清掃物Ｂが湾曲面を有する場合、あるいは被清掃物が撓みやすい材質で形成されている場合であっても、前記清掃具５０が被清掃物Ｂの形状に倣って密着するため、拭きムラを低減することができる。
【０００８】
しかしながら、前記特許文献１に記載された清掃具５０では、圧縮空気Ａ１が用いられているため、ワニスガーゼ及びワニスガーゼ片５２を通過した排気空気Ａ２によって、被清掃物Ｂに付着している塵、埃の舞い上がりが発生する。
そして、この舞い上げられた塵、埃が、再び被清掃物Ｂに付着することがあり、被清掃物Ｂを適切に清掃することができないという技術的課題があった。
【０００９】
本発明は、上記技術的課題を解決するためになされたものであり、拭きムラを低減でき、しかも、被清掃物への塵、埃の再付着を抑制でき、被清掃物を適切に清掃できる清掃具を提供することを目的とするものである。
【課題を解決するための手段】
【００１０】
上記技術的課題を解決するためになされた本発明にかかる清掃具は、ゲル状物質が内部に収容、封入された、可撓性を有するゲル封入部と、前記ゲル封入部の下面に取付けられた、被清掃物を拭くことによって清掃する清掃部と、  前記清掃部と前記ゲル封入部との間に介在し、前記清掃部を前記ゲル封入部の下面に取付ける取付け手段と、を備えることを特徴としている。
【００１１】
このような清掃具によれば、清掃部は、取付け手段を介してゲル封入部の下面に取り付けられるので、使用者は、ゲル封入部の上面に手を添えた状態で清掃部を被清掃物に押し付けながら移動させることによって、被清掃物を清掃することができる。しかも、ゲル状物質が内部に収容、封入された、可撓性を有するゲル封入部を備えているため、使用者の手から加わる力はゲル状物質を介して分散し、清掃部の全体に力を加えることができる。
その結果、この清掃具によれば、拭きムラを低減させることができ、被清掃物を適切に清掃できる。
特に、撓みやすい材質の被清掃物を清掃する場合でおいて、人の手による力が分散されることにより、被清掃物が撓みにくくなり、清掃部が被清掃物に接触（加圧）しやすくなり、被清掃物を適切に清掃することができる。
【００１２】
また、この清掃具によれば、ゲル封入部が可撓性を有するので、清掃部を被清掃物の形状に倣って密着させることができる。
その結果、湾曲面を有する形状の被清掃物を清掃する場合であっても、清掃部と被清掃物との接触面積（加圧面積）を大きくすることができ、被清掃物を適切に清掃することができる。
【００１３】
更に、従来の清掃具のように圧縮空気を利用していないため、清掃時に塵、埃が舞い上げることはなく、被清掃物を適切に清掃することができる。
【００１４】
ここで、前記ゲル封入部は、使用者の手を添えるための手添部と、前記取付け手段を介して前記清掃部が取り付けられる取付け部とを有し、前記手添部は、透明あるいは半透明に形成され、前記取付け部の内側面には、前記手添部側に向かって突出した複数の凸部が形成され、前記複数の凸部が、前記ゲル封入部に封入されたゲル状物質の色とは異なる色に着色されていることが望ましい。
【００１５】
この場合、清掃具を被清掃物に押し付けることによって、手添部と取付け部に形成された複数の凸部との間隔は狭くなり、使用者は手添部およびゲル状物質を介して複数の凸部に着色された色を視認することができる。
例えば、ゲル状物質の色を透明の青色とし、複数の凸部の色を赤色とすると、使用者は、加圧されている清掃部の部分を赤色として視認し、加圧されていない清掃部の部分を青色として視認する。
このように、使用者は、手添部を介して視認する色の変化によって、清掃具に対して適切に加圧しているか確認することができ、被清掃物をより適切に清掃することができる。
【００１６】
また、前記凸部の少なくとも上面に、前記ゲル封入部に封入されたゲル状物質の色とは異なる色の着色層を形成することによって、あるいは前記取付け部を透明あるいは半透明に形成し、前記凸部の凹み側に前記ゲル封入部に封入されたゲル状物質の色とは異なる色の物質を収容することによって、前記凸部が着色されることが望ましい。
【００１７】
更に、前記取付け手段は、面ファスナーまたは両面テープであることが望ましい。
この場合には、ゲル封入部に対して清掃部を着脱することができるので、清掃部に塵、埃、汚れが蓄積した際に、清掃部を容易に交換することができる。
【００１８】
また、前記清掃部は、ワニスガーゼ、スポンジ、不織布のいずれかであることが望ましい。被清掃物に適した清掃部を選択することにより、被清掃物をより適切に清掃することができる。
【発明の効果】
【００１９】
本発明によれば、拭きムラを低減でき、しかも、被清掃物への塵、埃の再付着を抑制でき、被清掃物を適切に清掃できる清掃具を得ることができる。
【図面の簡単な説明】
【００２０】
【図１】図１は、本発明の第１実施形態にかかる清掃具の斜視図である。
【図２】図２は、図１のＩ−Ｉ断面図である。
【図３】図３は、清掃具の圧力分布状態を示す図であって、（Ａ）は、従来の清掃具（比較例）の圧力分布状態を示す図、（Ｂ）は、図１に示した清掃具（実施例）の圧力分布状態を示す図である。
【図４】図４は、清掃具によって緩やかな湾曲面を清掃している状態を示す図であって、（Ａ）は従来の清掃具（比較例）の加圧領域の範囲を示す図、（Ｂ）は図１に示した清掃具（実施例）の加圧領域の範囲を示す図である。
【図５】図５は、清掃具によって急な湾曲面を清掃している状態を示す図であって、（Ａ）は従来の清掃具（比較例）の加圧領域の範囲を示す図、（Ｂ）は図１に示した清掃具（実施例）の加圧領域の範囲を示す図である。
【図６】図６は、本発明の第２実施形態にかかる清掃具の断面図である。
【図７】図７は、本発明の第２実施形態にかかる清掃具を被清掃物に押し付けた状態を示す斜視図である。
【図８】図８は、本発明の第２実施形態にかかる清掃具の変形例を示す断面図である。
【図９】図９は、従来の清掃具（特許文献１に示された清掃具）の正面図である。
【発明を実施するための形態】
【００２１】
〔第１実施形態〕
以下、本発明の第１実施形態にかかる清掃具について、図１乃至図５に基づいて説明する。
本発明にかかる清掃具１は、図１および図２に示すように、被清掃物Ｂを拭くことによって、被清掃物Ｂを清掃する清掃部２と、前記清掃部２の上方に配置されたゲル封入部３と、前記清掃部２の上面と、前記ゲル封入部３の下面との間に介在し、前記清掃部２の上面を前記ゲル封入部３の下面に取付ける取付け手段４とを備えている。
【００２２】
前記清掃部２は、従来と同様なワニスガーゼが用いられ、その外観形状が矩形板状に形成されている。
例えば、長さ１８０ｍｍ〜２２０ｍｍ、幅２８０ｍｍ〜３２０ｍｍ、厚さが２ｍｍ〜４ｍｍのワニスガーゼが用いられる。
尚、前記清掃部２は前記ワニスガーゼに限定されるものではなく、被清掃物Ｂを拭くことによって清掃することができるものであれば良く、例えばスポンジ、不織布等を用いることもできる。
【００２３】
また、前記ゲル封入部３は、可撓性を有し、かつ静電気を帯電して埃が再付着しない絶縁体である樹脂材料、例えばＰＥＴ（ポリエチレンテレフタレート）樹脂、Ａ−ＰＥＴ（非晶系ポリエチレンテレフタレート）樹脂などで形成されている。そして、このゲル封入部３の内部には、例えば、ポリアクリル酸ナトリウムを代表とする高吸水性高分子からなるゲル状物質Ｇを収容、封入されている。
このゲル封入部３を形成する合成樹脂材料は、厚さが０．２〜１ｍｍのものが用いられる。
前記合成樹脂材料の厚さが０．２ｍｍ未満の場合には、柔軟性が大きくなりすぎ、使用勝手が悪いという弊害が生じる。一方、前記合成樹脂材料の厚さが１ｍｍを超える場合には柔軟性に乏しく、ゲル封入部３の変形が小さくなり、好ましくない。
【００２４】
また、前記ゲル封入部３は、その外観形状が矩形板状に形成され、かつ内部にゲル状物質Ｇを収容するように中空に形成され、ゲル封入部３の厚さは５ｍｍ〜２０ｍｍに形成されている。好ましくは、ゲル封入部３の厚さが８ｍｍ〜１２ｍｍに形成されている。
ゲル封入部３の厚さが５ｍｍ未満の場合には、加えられた力を広範囲に分散することができず、加圧領域が狭いという弊害が生じる。一方、ゲル封入部３の厚さが２０ｍｍを超える場合には、清掃具の重量が増大し、使用勝手が悪いという弊害が生じる。
尚、前記ゲル封入部３の外観形状は矩形板状に限定されるものでなく、例えば、円盤板状等の板形状に形成しても良い。
【００２５】
更に、前記ゲル封入部３の上面は、使用者が手Ｈを添えるための手添部３ａとして形成され、前記ゲル封入部３の下面は、取付け手段４を介して前記清掃部２が取り付けられる取付け面３ｂとして形成されている。
【００２６】
前記手添部３ａ（ゲル封入部３の上面）の長手方向の中央部には、端部がゲル封入部３上面の端部に夫々取付けられ、ゲル封入部３の上面の短手方向に架け渡されたバンド５を備えている。
このバンド５は、使用者が手添部３ａ（ゲル封入部３の上面）とバンド５との間に手Ｈを差し入れることによって、清掃具１を落下させることなく、払拭作業を可能とするものである。
尚、本実施形態では、手添部３１にバンド５を備えた場合を示したが、必ずしもバンド５は備えていなくても良い。
【００２７】
前記取付け手段４として、面ファスナー、両面テープが用いられる。この取付け手段４は、面ファスナー、両面テープに限定されるものではなく、ゲル封入部３の下面に取付け手段４を介して前記清掃部２が取り付けることができるものであれば良く、例えば、接着剤を用いることもできる。
尚、面ファスナー、両面テープを取付け手段４として用いた場合には、前記ゲル封入部３に対して前記清掃部２が着脱可能なため、前記清掃部２が汚れた場合には、容易に交換することができる。
【００２８】
そして、このように構成された清掃具１を用いて被清掃物Ｂを清掃する場合には、使用者は、前記ゲル封入部３の前記手添部３ａに手を添えた状態で、前記清掃部２を被清掃物Ｂに押し付けながら移動させることによって、被清掃物Ｂを清掃する。
このとき、従来と同様に人の手Ｈにより力を加えているにも拘わらず、前記清掃部２のより広い範囲に、より均一な力が作用し、拭きムラが抑制される。
【００２９】
次に、ワニスガーゼのみによる清掃具（比較例）を用いた場合と、本発明の清掃具（実施例）を用いた場合とにおける、前記ワニスガーゼ（清掃部）に作用する圧力及び加圧領域について、図３に基づいて説明する。
図３（Ａ）は、ワニスガーゼのみによる清掃具６０（比較例）を用いた場合におけるワニスガーゼに作用する圧力分布を示す図であり、図３（Ｂ）は、本発明の前記清掃具１（実施例）を用いて清掃をした場合における、前記ワニスガーゼ（清掃部２）に作用する圧力分布を示す図である。
尚、図３では、使用者の手によって力を加えられる領域をＲとし、前記ワニスガーゼの中央を通る軸をＬとし、前記軸Ｌ上の圧力をＰとしている。また、前記圧力Ｐは、上方側に位置するほど高いことを示している。
【００３０】
具体的には、従来のワニスガーゼのみによる清掃具６０は、長さ２００ｍｍ、幅３００ｍｍ、厚さ３ｍｍのワニスガーゼを用い、使用者の手によって、前記ワニスガーゼに、０．２ＭＰａの力を作用させ、ワニスガーゼのみによる清掃具６０の下面に作用する圧力を測定した。
この圧力は、富士フィルム製プレスケール４Ｌ及びＬＬＬＷＣを用いて、発色される色と圧力の関係を示したサンプルをもとに圧力を求めた。
尚、ワニスガーゼのみによる清掃具６０は、平坦面上に載置し、測定した。
【００３１】
また、本発明の清掃具１は、比較例のワニスガーゼと同様に、長さ２００ｍｍ、幅３００ｍｍ、厚さ３ｍｍのワニスガーゼを用い、このワニスガーゼをゲル封入部３に取付けて清掃具とした。
また、ゲル状物質Ｇとして、ポリアクリル酸ナトリウムからなる粘性１００ｃｐｓ（ポイズ）のゲルを用い、またゲル封入部３の材料として、厚さが１ｍｍのＡ−ＰＥＴ（非晶系ポリエチレンテレフタレート）樹脂が用いられ、ゲル封入部３の長さ２００ｍｍ、幅３００ｍｍ、厚さ１０ｍｍに形成した。
そして、使用者の手によって、前記ワニスガーゼに、０．２ＭＰａの力を作用させ、清掃具１の下面に作用する圧力を測定した。この圧力も、前記比較例を同様な方法で測定した。尚、この清掃具１も、比較例と同様に平坦面上に載置し、測定した。
【００３２】
上記実験の結果、比較例の清掃具６０の場合には、図３（Ａ）に示すように、前記圧力Ｐの分布は、使用者の手によって力を加えられる領域Ｒの範囲内に留まり、ワニスガーゼの加圧領域Ｓ１は、前記領域Ｒの範囲外への広範な広がりは認められなかった。
また、圧力Ｐは、ワニスガーゼの略中央部分において約０．２ＭＰａの圧力が作用していることが認められた。
【００３３】
これに対して、実施例の清掃具１の場合には、図３（Ｂ）に示すように、前記圧力Ｐの分布（ワニスガーゼの加圧領域Ｓ２）は、前記領域Ｒの範囲外への広範な広がりが認められた。
また、圧力Ｐは、ワニスガーゼの略中央部分において約０．１ＭＰａの圧力が作用していることが認められた。
【００３４】
このように、実施例の圧力Ｐの分布（ワニスガーゼの加圧領域Ｓ２）は、比較例の圧力Ｐの分布と比べて、使用者の手によって力を加えられる領域Ｒの範囲外にも広がり、しかも圧力値は全体として低くなっている。
これは使用者の手から加わる力が前記ゲル状物質Ｇを介して、広範に分散するため、清掃部２のより広い範囲に、より均一な力が作用し、拭きムラが抑制される。
【００３５】
次に、ワニスガーゼのみによる清掃具６０（比較例）の場合と、本発明の清掃具１（実施例）の場合におけるワニスガーゼによる加圧領域について、更に図４及び図５に基づいて説明する。
具体的には、図４、図５では、湾曲面を有する形状の被清掃物Ｂとして、自動車のバンパーを例示している。また、比較例及び実施例は、図３の圧力分布を求めたものと、同一のものを用いた。
【００３６】
まず、比較例のワニスガーゼのみによる清掃具６０の場合には、図４（Ａ）および図５（Ａ）に示すように、加圧領域Ｓ１は、使用者の手ＨとバンパーＢとが重なった部分の面積と略同じである。
【００３７】
これに対して、実施例の清掃具の場合には、図４（Ｂ）および図５（Ｂ）に示すように、ワニスガーゼ（清掃部）２による加圧領域Ｓ２は、使用者の手とバンパーＢとが重なった部分の面積よりも広範となる。
これは使用者の手Ｈから加わる力が前記ゲル状物質Ｇを介して分散することにより、あるいはゲル状物質Ｇの自重により、可撓性を有する材料によって形成されているゲル封入部３が変形させることによる。
即ち、実施例の清掃具１によれば、前記ゲル封入部３は可撓性を有するため、前記清掃部２は湾曲の大小にかかわらず被清掃物の形状に倣って密着し、前記清掃部２の加圧領域Ｓ２が大きくなる。その結果、拭きムラが抑制され、被清掃物を適切に清掃することができる。
【００３８】
この本発明にかかる清掃具によれば、使用者の手から加わる力は前記ゲル状物質Ｇを介して分散し、前記清掃部２の全体に力を加えることができ、拭きムラを低減させることができ、被清掃物を適切に清掃することができる。
また、撓みやすい材質の被清掃物を清掃する場合であっても、使用者の手から加わる力が前記ゲル状物質Ｇを介して分散されるため、被清掃物が撓みにくくなり、前記清掃部２と被清掃物とが接触しやすくなる。その結果、拭きムラを低減させることができ、被清掃物を適切に清掃することができる。
更に、特許文献１に記載された清掃具のように圧縮空気を利用していないので、清掃時に塵、埃が舞い上がることはなく、被清掃物を適切に清掃することができる。
【００３９】
〔第２実施形態〕
以下、本発明の第２実施形態にかかる清掃具について、図６乃至図８に基づいて説明する。尚、第１実施形態で示した部材と同一あるいは相当する部材は、同一符号を付してその説明を省略する。
【００４０】
第２実施形態にかかる清掃具１０のゲル封入部１１は、図６に示すように、所定色を有する、半透明のゲル状物質Ｇが内部に封入されている。
また、前記ゲル封入部１１の手添部１１ａは、無色であって、透明あるいは半透明に形成されている。
前記ゲル封入部１１の取付け部１１ｂの内側面には、前記手添部１１ａ側に向かって突出して形成された、平面視上、格子状に配列された複数の凸部１２が形成されている。
前記凸部１２は中実の円錐台状に形成され、その上面１２ａは、前記ゲル封入部１１に封入されたゲル状物質の色と異なる色に着色された着色層１３が形成されている。
【００４１】
尚、本実施形態の凸部１２として、中実の円錐台状の場合について説明したが、中空状に形成されていても良い。また円錐台状とは異なる他の形状に形成しても良い。
更に、前記凸部１２を中空の円錐台状に形成した場合において、図８に示すように、前記凸部１２の内部に、ゲル封入部１１に封入されたゲル状物質Ｇの色と異なる色に着色されたゲル状物質１４を封止材１５によって封入することによって、前記凸部１２の上面の着色を省略しても良い。この場合、前記凸部１２（取付け部１１ｂ）は、透明あるいは半透明に形成するのが好ましい。
【００４２】
このような清掃具１０を用いて清掃する際、前記清掃具１０を被清掃物Ｂに押し付けることによって、前記手添部１１ａと前記取付け部１１ｂに形成された複数の前記凸部１２との間隔は狭くなる。
その結果、使用者は、図７に示すように、前記手添部１１ａおよび前記ゲル状物質Ｇを介して複数の前記凸部１２に着色された色を視認することができる。
即ち、使用者は、前記清掃部（ワニスガーゼ）２の加圧されている部分では、凸部１２の色を視認することができる。一方、前記清掃部（ワニスガーゼ）２の非加圧部分では、前記凸部１２の色を視認することができない。
【００４３】
このように、使用者は手添部１１ａを介して凸部１２の色を視認することによって、前記清掃具１０に対して適切に力を加えているかを確認しながら清掃作業を行うことができる。
【００４４】
上記第１、第２の実施形態にあっては、塗装前の清掃工程に用いられる清掃具を例にとって説明したが、本発明はこれに限定されることはなく、家庭用の一般的な清掃具、例えば窓ふき用清掃具、家具用清掃具等の清掃具として、あるいは自動車用の一般的な清掃具、例えば自動車窓ふき用清掃具、自動車ワックス用清掃具等の清掃具として、更には、産業用清掃具等として広く用いることができる。
【符号の説明】
【００４５】
１，１０      清掃具
２            ワニスガーゼ（清掃部）
３，１１      ゲル封入部
４            取付け部
３ａ，１１ａ  手添部
３ｂ，１１ｂ  取付け部
５            バンド
１２          凸部
１２ａ        凸部上面
１３          着色層
１４          ゲル状物質
１５          封止材
Ｂ            被清掃物
Ｇ            ゲル状物質
Ｈ            人の手
Ｓ１          加圧領域
Ｓ２          加圧領域
【図１】
2013141623.tif 000003
【図２】
2013141623.tif 000004
【図３】
2013141623.tif 000005
【図４】
2013141623.tif 000006
【図５】
2013141623.tif 000007
【図６】
2013141623.tif 000008
【図７】
2013141623.tif 000009
【図８】
2013141623.tif 000010
【図９】
2013141623.tif 000011